(57)【要約】【課題】石膏ボードが圧縮体通過後に表装紙に付着する石膏を略完全に除去することができる石膏ボード表装紙分離装置を提供する。【解決手段】石膏ボードから表装紙と石膏とを分離する装置１０であって、対向配置された一対の回転圧縮体１１，１１の間に前記石膏ボードを通過させて該石膏ボードを圧縮又は変形させた後、回転軸の長手方向に沿って複数のブレード４ａ，４ａ・・が取り付けられた回転体４と前記回転圧縮体１１の一方との間を通過させる。【選択図】図１
2004122076.tif 000002
【特許請求の範囲】
【請求項１】
石膏ボードから表装紙と石膏とを分離する装置であって、
対向配置された一対の回転圧縮体の間に前記石膏ボードを通過させて該石膏ボードを圧縮又は変形させた後、回転軸の長手方向に沿って複数のブレードが取り付けられた回転体と前記回転圧縮体の一方との間を通過させることを特徴とする石膏ボード表装紙分離装置。
【請求項２】
回転圧縮体近傍には分離された表装紙が回転圧縮体に巻き込まれることを防止する巻き込み防止部材が設置されていることを特徴とする請求項１に記載の石膏ボード表装紙分離装置。
【請求項３】
対向配置された一対の回転圧縮体の間隔を調整することができる圧縮幅調整機構を備えていることを特徴とする請求項１又は２に記載の石膏ボード表装紙分離装置。
【請求項４】
回転圧縮体と複数のブレードが取り付けられた回転体との間隔を調整することができる幅調整機構を備えていることを特徴とする請求項１乃至３のいずれかに記載の石膏ボード表装紙分離装置。
【発明の詳細な説明】
【０００１】
【発明の属する技術分野】
本発明は、石膏ボードから表装紙と石膏とを分離する装置に関するものである。
【０００２】
【従来の技術】
解体される家屋等からは多量の石膏ボードが排出されている。そして、近年産業廃棄物の処理場の選定難等の理由から石膏を再加熱してリサイクルすることが検討されている。しかし、石膏ボードは石膏の表裏に表装紙が貼着されており、加熱に先立ってこの表装紙を分離する必要がある。
【０００３】
そこで、本出願人は図８に示す石膏ボードの表装紙分離装置１０ａを開発した（特許文献１参照。）。この装置１０ａは、回転する回転圧縮体１１，１１の間に石膏ボード１を挿入通過させて、石膏ボード１を圧縮又は変形させ、表装紙２と石膏３との間にずれを発生させることにより、表装紙２，２間に貼着されている石膏３を粉々にして容易に分離することができるようにしたものである。
【０００４】
【特許文献１】
特開２００２−２８５０９号公報
【０００５】
【発明が解決しようとする課題】
しかしながら、上記従来の構成では、表装紙２と石膏３との間の付着力が強い場合には表装紙２に石膏３が残り表装紙２と石膏３とを完全に分離するまでには至らなかった。また、石膏３は回転圧縮体１１，１１間で圧縮されることによって、却って表装紙２側に弱い力で付着して残るものもあった。
【０００６】
本発明は上記点に鑑み、石膏ボードが圧縮体通過後に表装紙に付着する石膏を略完全に除去することができる石膏ボード表装紙分離装置を提供することを目的とする。
【０００７】
【課題を解決するための手段】
請求項１の発明は、石膏ボードから表装紙と石膏とを分離する装置であって、対向配置された一対の回転圧縮体の間に前記石膏ボードを通過させて該石膏ボードを圧縮又は変形させた後、回転軸の長手方向に沿って複数のブレードが取り付けられた回転体と前記回転圧縮体の一方との間を通過させることに特徴を有する。
【０００８】
請求項２の発明は、回転圧縮体近傍には分離された表装紙が回転圧縮体に巻き込まれることを防止する巻き込み防止部材が設置されていることに特徴を有する。
【０００９】
請求項３の発明は、対向配置された一対の回転圧縮体の間隔を調整することができる圧縮幅調整機構を備えていることに特徴を有する。
【００１０】
請求項４の発明は、回転圧縮体と複数のブレードが取り付けられた回転体との間隔を調整することができる幅調整機構を備えていることに特徴を有する。
【００１１】
【発明の実施の形態】
次に、本発明の実施形態を図面に基づいて説明する。図１は本発明に係る石膏ボード表装紙分離装置の全体を示す一部断面斜視図であり、図２は正面図である。
【００１２】
まず、本発明に係る石膏ボード表装紙分離装置１０には、一対の回転圧縮体１１，１１が石膏ボード１の挿入される間隔を空けて対向配置されている。そして、回転圧縮体１１，１１の下方には複数のブレード４ａ，４ａ，・・が設置された回転体４，４が対向配置されているのである。また、一対の回転圧縮体１１，１１の外側には各々巻き込み防止部材５，５が設置されている。
【００１３】
さらに、複数のブレード４ａが設置された回転体４の下方には石膏受皿６を傾斜させて設置している。そして、この傾斜している石膏受皿６上に落下した石膏３は石膏回収箱７によって回収されるのである。
【００１４】
また、回転圧縮体１１及び回転体４の両側には回転圧縮体１１，１１間の間隔を調整することができる圧縮幅調整機構８と回転圧縮体１１と複数のブレード４ａが設置された回転体４との間隔を調整することができる幅調整機構９とが設置されている。
【００１５】
図３〜図５は石膏ボード表装紙分離装置によって表装紙から石膏が取り除かれる手順を示す説明図である。
【００１６】
先ず、図３に示すように一対の回転圧縮体１１，１１の間に石膏ボード１を上方から挿入するのである。すると、回転圧縮体１１，１１の回転によって石膏ボード１は圧縮及び変形されながら両側の表装紙２，２が回転圧縮体１１，１１に巻き付くように回転方向に進行していくのである。一方、石膏３は回転圧縮体１１，１１による石膏ボード１の圧縮及び変形によるずれの発生によって粉砕され、重力によって下方に設置されている図１及び図２で示した石膏受皿６へと落下するのである。
【００１７】
次に、図４に示すように各々の表装紙２，２が回転圧縮体１１，１１の回転方向に運ばれていくと複数のブレード４ａ，４ａ，・・が設置された回転体４，４が回転することによって各々の表装紙２，２に残っている石膏３をブレード４ａ，４ａ，・・が掻き取って行くのである。そして、ブレード４ａ，４ａ，・・によって掻き取られた石膏３は回転体４，４が回転することによって、下方に設置されている石膏受皿６へと落下するのである。
【００１８】
そして、図５に示すように石膏３が略完全に掻き取られた表装紙２，２は回転圧縮体１１，１１の回転方向に沿って進行して行くのであるが、この表装紙２，２が回転圧縮体１１，１１間に再度巻き込まれて装置１０に不具合が生じることがないように、一対の回転圧縮体１１，１１の外側には各々巻き込み防止部材５，５が設置されて各々の表装紙２，２を下方に排出するようにしているのである。
【００１９】
また、本発明に係る石膏ボード表装紙分離装置１０は石膏ボード１の幅が変化する場合に対応できるように圧縮幅調整機構８と幅調整機構９とが設置されていて、図１及び図６に示すように圧縮幅調整機構８は一対の回転圧縮体１１，１１の間隔Ａを調整することができるようにして回転圧縮体１１，１１間に挿入される石膏ボード１の厚さが異なる場合にも対応することができ、圧縮力を調整することもできるようにしている。
【００２０】
同様にして幅調整機構９は各々の回転圧縮体１１，１１と、その下方に位置する回転体４，４との間隔Ｂを調整することができるようにして、この間を通過する表装紙２，２の厚さが異なる場合にも対応することができるようにしている。
【００２１】
図７は本発明の石膏ボード表装紙分離装置を構成する回転体を示す説明図である。この図に示すように回転体４は回転軸４ｂの長手方向に沿って複数の硬質のブレード４ａ，４ａ，・・が取り付けられているものであって、このブレード４ａ，４ａ，・・が回転することによって表装紙２，２に付着している石膏３を掻き取り、各ブレード４ａ，４ａ間の溝に一旦、石膏３を落し込むのである。そして、上述したとおり重力によって下方に設置されている石膏受皿６へと落下し、石膏回収箱７によって回収されるのである。
【００２２】
尚、本発明の趣旨を逸脱しない範囲において、種々の実施形態をとることができることは言うまでもない。例えば、上記実施形態においては回転圧縮体１１，１１を２個設置する構成としているがこれに限定されるものではなく、３個又は４個或いはさらに複数個設置する構成としてもよいものである。また、上記実施形態においては２個の回転圧縮体１１，１１を対向配置しているが石膏ボードの進行方向に沿って互い違いに配置する構成としてもよいものである。さらに、設置される複数の回転圧縮体１１，１１・・の径は同径としなくてもよいものである。また、回転圧縮体１１及び回転体４を回転させる駆動源は図示せず省略したが、モータであっても手動によるものであってもよいものである。
【００２３】
【発明の効果】
請求項１の発明は、石膏ボードから表装紙と石膏とを分離する装置であって、対向配置された一対の回転圧縮体の間に前記石膏ボードを通過させて該石膏ボードを圧縮又は変形させた後、回転軸の長手方向に沿って複数のブレードが取り付けられた回転体と前記回転圧縮体の一方との間を通過させることに特徴を有するので、先ず、石膏ボードが回転圧縮体間を通過することによって石膏ボードを圧縮又は変形させ、表装紙と石膏との間にずれを発生させて表装紙と石膏とを大まかに分離させることができる。さらに、表装紙に付着したままの石膏は回転体のブレードによって掻き取られるので、表装紙と石膏とを略完全に分離させることができる。
【００２４】
請求項２の発明は、回転圧縮体近傍には分離された表装紙が回転圧縮体に巻き込まれることを防止する巻き込み防止部材が設置されていることに特徴を有するので、回転圧縮体と回転体との間を通過した表装紙が回転圧縮体間に再度巻き込まれて装置に不具合が生じることを防ぐことができる。
【００２５】
請求項３の発明は、対向配置された一対の回転圧縮体の間隔を調整することができる圧縮幅調整機構を備えていることに特徴を有するので、回転圧縮体間に挿入される石膏ボードの厚さが異なる場合にも対応することができる。
【００２６】
請求項４の発明は、回転圧縮体と複数のブレードが取り付けられた回転体との間隔を調整することができる幅調整機構を備えていることに特徴を有するので、回転圧縮体と回転体との間隔を調整することができるようにして、この間を通過する表装紙の厚さが異なる場合にも対応することができるようにしている。
【図面の簡単な説明】
【図１】本発明に係る石膏ボード表装紙分離装置を示す一部断面斜視図である。
【図２】本発明に係る石膏ボード表装紙分離装置を示す正面図である。
【図３】石膏ボードから表装紙が分離される状態を示す説明図である。
【図４】石膏ボードから表装紙が分離される状態を示す説明図である。
【図５】石膏ボードから表装紙が分離される状態を示す説明図である。
【図６】圧縮幅調整機構及び幅調整機構についての説明図である。
【図７】石膏ボード表装紙分離装置を構成する回転体を示す説明図である。
【図８】従来の石膏ボード表装紙分離装置を示す説明図である。
【符号の説明】
１　石膏ボード
２　表装紙
３　石膏
４　回転体
４ａ　ブレード
４ｂ　回転軸
５　巻き込み防止部材
６　石膏受皿
７　石膏回収箱
８　圧縮幅調整機構
９　幅調整機構
１０，１０ａ　石膏ボードの表装紙分離装置
１１　回転圧縮体
【図１】
2004122076.tif 000003
【図２】
2004122076.tif 000004
【図３】
2004122076.tif 000005
【図４】
2004122076.tif 000006
【図５】
2004122076.tif 000007
【図６】
2004122076.tif 000008
【図７】
2004122076.tif 000009
【図８】
2004122076.tif 000010